(57)【要約】【課題】  発光アレイで文字を表示するキーボード装置及びそのキーユニットの提供。【解決手段】  キーボード装置の各キーユニット中に発光装置アレイが設けられ、該発光装置アレイ中の発光装置がキーボード装置のキーボード制御回路の制御を受けて、選択的に駆動されて光線を発生し、その発生する光線がキートップに向けて投射され、キートップ上に文字を表示する。キースイッチがキートップ下方の位置に配置され、該キートップが押圧操作される時に該キースイッチが駆動されて動作し、キー信号を発生してキーボード制御回路に送る。【選択図】        図２
2006164929.tif 000002
【特許請求の範囲】
【請求項１】
発光アレイで文字を表示するキーボード装置において、
キーボードケースと、
該キーボードケース中に配置されたキーボード制御回路と、
該キーボードケースに配置された複数のキーユニットと、
を具え、各キーユニットが、
該キーユニットの上部に設置されて使用者の押圧操作に供されるキートップと、
該キートップの下方に配置されてキートップが押圧操作される時に、その接触を受けて動作し、キー信号を発生してキーボード制御回路に送るキースイッチと、
複数の発光装置を具えて各発光装置がキーボード制御回路の制御の下で、選択的に駆動されて光線を発生し、その発生した光線を該キートップに投射してキートップ上に文字を現出させる発光装置アレイと、
を具えたことを特徴とする、発光アレイで文字を表示するキーボード装置。
【請求項２】
請求項１記載の発光アレイで文字を表示するキーボード装置において、キートップにアレイ配置された複数の透光エリアが開設され、各透光エリアの下方に対応する発光装置が配置されたことを特徴とする、発光アレイで文字を表示するキーボード装置。
【請求項３】
請求項２記載の発光アレイで文字を表示するキーボード装置において、発光装置がキートップ下方に設けられた発光装置基板上に配設されたことを特徴とする、発光アレイで文字を表示するキーボード装置。
【請求項４】
請求項１記載の発光アレイで文字を表示するキーボード装置において、キートップにアレイ配置された複数の嵌置孔が開設され、各嵌置孔に発光装置が嵌め置かれたことを特徴とする、発光アレイで文字を表示するキーボード装置。
【請求項５】
請求項４記載の発光アレイで文字を表示するキーボード装置において、発光装置がキートップ下方に設けられた発光装置基板上に配設されたことを特徴とする、発光アレイで文字を表示するキーボード装置。
【請求項６】
請求項４記載の発光アレイで文字を表示するキーボード装置において、キートップの表面が更に保護層で被覆されたことを特徴とする、発光アレイで文字を表示するキーボード装置。
【請求項７】
発光アレイで文字を表示するキーユニットであり、該キーユニットはキーボード装置に配置され、該キーユニットは、
該キーユニットの上部に設置されて使用者の押圧操作に供されるキートップと、
該キートップの下方に配置されてキートップが押圧操作される時に、その接触を受けて動作し、キー信号を発生してキーボード制御回路に送るキースイッチと、
複数の発光装置を具えて各発光装置がキーボード制御回路の制御の下で、選択的に駆動されて光線を発生し、その発生した光線を該キートップに投射してキートップ上に文字を現出させる発光装置アレイと、
を具えたことを特徴とする、発光アレイで文字を表示するキーユニット。
【請求項８】
請求項７記載の発光アレイで文字を表示するキーユニットにおいて、キートップにアレイ配置された複数の透光エリアが開設され、各透光エリアの下方に対応する発光装置が配置されたことを特徴とする、発光アレイで文字を表示するキーユニット。
【請求項９】
請求項８記載の発光アレイで文字を表示するキーユニットにおいて、発光装置がキートップ下方に設けられた発光装置基板上に配設されたことを特徴とする、発光アレイで文字を表示するキーユニット。
【請求項１０】
請求項７記載の発光アレイで文字を表示するキーユニットにおいて、キートップにアレイ配置された複数の嵌置孔が開設され、各嵌置孔に発光装置が嵌め置かれたことを特徴とする、発光アレイで文字を表示するキーユニット。
【請求項１１】
請求項１０記載の発光アレイで文字を表示するキーユニットにおいて、発光装置がキートップ下方に設けられた発光装置基板上に配設されたことを特徴とする、発光アレイで文字を表示するキーユニット。
【請求項１２】
請求項１０記載の発光アレイで文字を表示するキーユニットにおいて、キートップの表面が更に保護層で被覆されたことを特徴とする、発光アレイで文字を表示するキーユニット。
【発明の詳細な説明】
【技術分野】
【０００１】
本発明は文字符号を認識できる入力装置に係り、特に、一種の発光アレイで文字を表示するキーボード装置及びそのキーユニットに関する。
【背景技術】
【０００２】
各種のコンピュータ装置、測定機器、制御装置、デジタル装置、オフィス自動化設備中には、キー入力装置が配置されている。現在、コンピュータ装置に使用されている伝統的なキーボード構造は、機械バネ構造式キーと薄膜シリコン構造式キーの二種類に大まかに分けられる。
【０００３】
例えば、現在コンピュータ装置に使用されているキーボード装置は、同一のキーボードケース中に多くのキーユニットが配列され、ゆえに各キーユニットにはそのキーの意義を代表する図形、符号、或いは文字が表示されて使用者が操作する時の識別に供される。
【発明の開示】
【発明が解決しようとする課題】
【０００４】
しかし、上述の伝統的なキーボードは、キーボード装置の各キーユニットに図形、符号或いは文字が印刷された後は、キー機能を変更することはできなかった。
【０００５】
現在、コンピュータのウインドウズ（登録商標）環境にあっては、コンピュータオペレーションシステムは異なる言語の処理機能をサポートし、ゆえにキーボード入力機能の方面でもこれに対応して異なる言語（例えば英語、中国語、日本語）の入力機能を実行できるようにすることが必要である。異なる言語系の文字特性により、その文字を入力する時は、異なるエンコード方法を有し得る。例えば中国語入力の方法では、現在数種類の中国語文字入力エンコード方式（例えば、「ピンイン（PinYin）」、「ピーホァ（BiHua ）」、「ズウイン（ZhuYin）」）がある。
【０００６】
キーボード業者はこのような要求に応えるため、キーボードの設計にあって、通常、同一のキーユニットのキートップ表面の異なる角部位置に異なる文字を表示し、使用者が異なる入力モード、異なる入力コードを使用する時の、キーの意義の識別に供している。
【０００７】
これにより使用者が単一のキーボードを購入して異なる入力モード、異なる入力エンコード方法に応用できるようになったが、却ってキーボードの各キーユニットに複数種類の文字が存在するため、使用者が操作時に見づらいという問題が発生する。使用者は操作時に経常的に操作モードを先に確認してからでなければそのキーユニットの機能を確認できない。
【０００８】
更に、伝統的なキーユニット表面に表示された文字は、印刷の方式で表示されるため、外界光源の環境下でのみ使用可能であり、光源不足の情況では、使用者はキーの文字を見ることができず、ゆえにキーボードを操作できない。
【０００９】
更に、現在のキーユニット表面に表示される文字は、キートップ表面に印刷され、使用者の押圧機会が多い時、キートップ表面に印刷された文字が薄くなったり摩損したりし、使用者がはっきりとそのキーの機能を識別できなくなる。
【００１０】
上述したように、周知のキーボード装置のキーの文字表示には、同一キーに複数種類の文字が存在することにより認識しにくく、異なるモードを確認してからでなればキー機能を確認できず、また、外界光源がある環境でしか使用できず、文字印刷が薄くなったり、摩損したりしやすい等の問題があり、ゆえに別の形態のキーボード及びそのキーユニットの設計が必要である。
【００１１】
これにより、本発明の主要な目的は、一種のキー機能を表示できるキーボード装置を提供することにあり、その各一つのキーユニットは異なる文字を表示可能で、使用者の視覚にはっきりとキー機能を識別させられるものとする。
【００１２】
本発明の別の目的は、一種の発光アレイで文字を表示するキーボード装置を提供することにあり、それはキーボード装置の各キーユニット中に発光装置アレイが配置され、該発光装置アレイの発光装置が選択的に駆動されて光線を発生し並びにキーユニット上に文字を表示するものとする。
【００１３】
本発明の別の目的は、一種の発光文字を具えたキーボード装置を提供することにあり、そのキーボード装置の各キーユニットは発光文字によりそのキー機能を表示するものとする。
【００１４】
本発明が周知の技術の問題を解決するために採用する技術手段は、キーボード装置の各キーユニット中に発光装置アレイを設け、該発光装置アレイ中の発光装置をキーボード装置のキーボード制御回路で制御して選択的に駆動て光線を発生させ、その発生する光線をキートップに向けて投射させ、キートップ上に文字を表示し、キースイッチをキートップ下方の位置に配置し、該キートップを押圧操作する時に該キースイッチを駆動して動作させ、キー信号を発生させキーボード制御回路に送るものとする。
【００１５】
好ましい実施例において、キートップに複数のアレイ配置された透光エリアを開設し、各透光エリアの下方に対応する発光装置を配置する。該キートップには複数のアレイ配置された嵌置孔を開設可能で、各嵌置孔に発光装置が嵌め込まれる。該発光装置が駆動されて光線を発生する時、その発生する光線はキートップに向けて投射され、キートップ上に文字を表示する。
【課題を解決するための手段】
【００１６】
請求項１の発明は、発光アレイで文字を表示するキーボード装置において、
キーボードケースと、
該キーボードケース中に配置されたキーボード制御回路と、
該キーボードケースに配置された複数のキーユニットと、
を具え、各キーユニットが、
該キーユニットの上部に設置されて使用者の押圧操作に供されるキートップと、
該キートップの下方に配置されてキートップが押圧操作される時に、その接触を受けて動作し、キー信号を発生してキーボード制御回路に送るキースイッチと、
複数の発光装置を具えて各発光装置がキーボード制御回路の制御の下で、選択的に駆動されて光線を発生し、その発生した光線を該キートップに投射してキートップ上に文字を現出させる発光装置アレイと、
を具えたことを特徴とする、発光アレイで文字を表示するキーボード装置としている。
請求項２の発明は、請求項１記載の発光アレイで文字を表示するキーボード装置において、キートップにアレイ配置された複数の透光エリアが開設され、各透光エリアの下方に対応する発光装置が配置されたことを特徴とする、発光アレイで文字を表示するキーボード装置としている。
請求項３の発明は、請求項２記載の発光アレイで文字を表示するキーボード装置において、発光装置がキートップ下方に設けられた発光装置基板上に配設されたことを特徴とする、発光アレイで文字を表示するキーボード装置としている。
請求項４の発明は、請求項１記載の発光アレイで文字を表示するキーボード装置において、キートップにアレイ配置された複数の嵌置孔が開設され、各嵌置孔に発光装置が嵌め置かれたことを特徴とする、発光アレイで文字を表示するキーボード装置としている。
請求項５の発明は、請求項４記載の発光アレイで文字を表示するキーボード装置において、発光装置がキートップ下方に設けられた発光装置基板上に配設されたことを特徴とする、発光アレイで文字を表示するキーボード装置としている。
請求項６の発明は、請求項４記載の発光アレイで文字を表示するキーボード装置において、キートップの表面が更に保護層で被覆されたことを特徴とする、発光アレイで文字を表示するキーボード装置としている。
請求項７の発明は、発光アレイで文字を表示するキーユニットであり、該キーユニットはキーボード装置に配置され、該キーユニットは、
該キーユニットの上部に設置されて使用者の押圧操作に供されるキートップと、
該キートップの下方に配置されてキートップが押圧操作される時に、その接触を受けて動作し、キー信号を発生してキーボード制御回路に送るキースイッチと、
複数の発光装置を具えて各発光装置がキーボード制御回路の制御の下で、選択的に駆動されて光線を発生し、その発生した光線を該キートップに投射してキートップ上に文字を現出させる発光装置アレイと、
を具えたことを特徴とする、発光アレイで文字を表示するキーユニットとしている。
請求項８の発明は、請求項７記載の発光アレイで文字を表示するキーユニットにおいて、キートップにアレイ配置された複数の透光エリアが開設され、各透光エリアの下方に対応する発光装置が配置されたことを特徴とする、発光アレイで文字を表示するキーユニットとしている。
請求項９の発明は、請求項８記載の発光アレイで文字を表示するキーユニットにおいて、発光装置がキートップ下方に設けられた発光装置基板上に配設されたことを特徴とする、発光アレイで文字を表示するキーユニットとしている。
請求項１０の発明は、請求項７記載の発光アレイで文字を表示するキーユニットにおいて、キートップにアレイ配置された複数の嵌置孔が開設され、各嵌置孔に発光装置が嵌め置かれたことを特徴とする、発光アレイで文字を表示するキーユニットとしている。
請求項１１の発明は、請求項１０記載の発光アレイで文字を表示するキーユニットにおいて、発光装置がキートップ下方に設けられた発光装置基板上に配設されたことを特徴とする、発光アレイで文字を表示するキーユニットとしている。
請求項１２の発明は、請求項１０記載の発光アレイで文字を表示するキーユニットにおいて、キートップの表面が更に保護層で被覆されたことを特徴とする、発光アレイで文字を表示するキーユニットとしている。
【発明の効果】
【００１７】
本発明の採用する技術手段により、キーボード装置中の各キーユニットがいずれも異なる操作モードで異なる文字を表示し、使用者が視覚で明らかにそのキー機能を識別できるようになり、各キーユニット中に配置された発光装置アレイが簡単に選択的に駆動、制御され、ゆえに異なる文字をキーユニット上に発生でき、ゆえに使用者が簡単にその使用する言語の文字を入力できる。
【００１８】
本発明の技術により、使用者がキーボードを使用する時の便利性が増し、識別の容易性が増し、ゆえに伝統的なキーボードにあるキーボードの文字が混雑したり、識別しにくくなったり、モード確認してからでなければキー機能を確認できなかったり、文字印刷が薄くなったり摩損したりする情況を有効に解決できる。
【００１９】
さらに、本発明の各キーユニットに配置された発光装置アレイは光線不足の情況にあっても発光文字によりそのキー機能を表示でき、ゆえに伝統的なキーボード装置の、有限な外界光線しかない環境中でしか使用できないという制限を突破できる。
【００２０】
メーカーにとっては、世界各地で販売するキーボードに同一規格、同一設計を採用でき、ただ異なる言語系のオペレーションシステムを搭載すればそのキーボード上に異なる言語系の文字を表示させられ、ゆえにストック／出荷管理上の問題を軽減できる。
【発明を実施するための最良の形態】
【００２１】
図１は本発明の発光アレイで文字を表示するキーボード装置の実施例の立体図である。図２は図１のキーボード中のそのうち一つのキーユニットをキーボード装置より分離した時の立体分解図である。図示されるように、キーボード装置のキーボードケース１には複数の本発明のキーユニット１００が配置されている。各キーユニット１００上にはそのキーユニットの意義を代表する文字が表示され、使用者が該キーユニットの意義及び機能を識別するのに供される。
【００２２】
図３は図１の３−３断面図である。本発明の実施例中、各キーユニット１００は、キートップ２を具え、該キートップ２はキーボードユニットの上部に設置され、使用者の押圧操作に供される。該キートップ２には複数のアレイ配置された透光エリア２１が開設されている。
【００２３】
該キートップ２の下方に発光装置基板３が設けられ、該発光装置基板３上にアレイ配置された複数の発光装置３１が設けられている。各発光装置３１はキートップ２の一つの透光エリア２１に対応する。各発光装置３１はキーボード装置中のキーボード制御回路の制御を受けて、選択的に駆動され光線を発生し、その発生する光線はキートップに向けて投射され、キートップ上に文字を現出させる。
【００２４】
該発光装置基板３の下方位置に凸部３２が形成され、並びにその外周に回復バネ４が配設され、及びキーボード装置中の回路基板１１上に対応するキースイッチ５が配置されている。該キーボード装置の回路基板１１は信号線１２を通して該発光装置基板３に接続され、該信号線１２には現在周知のフレキシブル基板を採用可能で、これにより信号の接続が行なわれる。
【００２５】
該回復バネ４はキートップ２の未押圧時に上向きに突出する状態を保持させる。キートップ２が使用者の押圧を受ける時、発光装置基板３の凸部３２はキースイッチ５に接触してそれを駆動し、キースイッチ５にキー信号を発生させてキーボード装置中のキーボード制御回路に送らせる。
【００２６】
図４は本発明のキーユニットの別の実施例の立体分解図である。図５は図４中の５−５断面図である。この実施例のほとんどの構造はいずれも先の実施例と同じであり、ゆえに、同じ部品は同じ参照番号で表示している。本実施例中、各キーユニット１００上にはキーユニットの意義を代表する文字が現出され、使用者に該キーユニットの意義及び機能を識別させる。
【００２７】
該キーユニット１００のキートップ２中には複数のアレイ配置された嵌置孔２２が開設され、各嵌置孔２２中に発光装置３１が嵌め置かれ、各発光装置３１は発光装置基板３上に位置決めされる。該キートップ２の表面は保護層２３で被覆されている。
【００２８】
該発光装置基板３の下方に凸部３２が形成され、並びにその外周に回復バネ４が設置され、キーボード装置中の回路基板１１上には対応するキースイッチ５が配置されている。該キーボード装置の回路基板１１は信号線１２で該発光装置基板３に接続されてまた図８は本発明の発光アレイで文字を表示するキーユニットが配置されたキーボード装置１がピンイン符号２５をキーユニットに現出した時の平面図である。
【００２９】
該回復バネ４はキートップ２が押圧を受けない時にキートップ２に上向きに突出した状態を保持させる。該キートップ２が使用者の押圧を受ける時、発光装置基板３の凸部３２がキースイッチ５に接触してそれを駆動し、キースイッチ５がキー信号を発生してキーボード装置中のキーボード制御回路に送る。
【００３０】
図６は本発明の発光アレイで文字を表示するキーユニットがキーボード制御回路に接続された電気回路図である。その表示するキーボード装置のキーボード制御回路６には本発明の複数のキーユニット１００が接続されている。各キーユニット１００はＸ軸方向デコーダ６１、Ｙ軸方向デコーダ６２を包含する。該Ｘ軸方向デコーダ６１とＹ軸方向デコーダ６２は少数の信号線の下で、発光装置アレイの制御を行なう。使用者がキーユニット１００のキートップ２を押圧する時、キースイッチ５が動作させられ、キースイッチ５の発生するキー信号がキーボード制御回路６に送られる。
【００３１】
上述の本発明の構造配置及びキーボード制御回路の制御の下で、キーボード装置の各キーユニット１００のキートップ２上に異なる文字（例えば数字、母音、図形、符号）が表示される。例えば図７は本発明の発光アレイで文字を表示するキーボードユニットが配置されたキーボード装置１が英文字２４をキーユニットにおいて現出した時の平面図である。また図８は本発明の発光アレイで文字を表示するキーユニットが配置されたキーボード装置１がピンイン符号２５をキーユニットに現出した時の平面図である。
【００３２】
以上の説明から分かるように、本発明の提供する発光アレイで文字を表示するキーボード装置は、新規で実用的なデータ入力装置である。本発明は一般のキーボード或いはキーを配置する必要のあるコンピュータ装置、測定機器、制御装置、デジタル装置等に応用可能であり、ゆえに本発明は高度の産業上の利用価値を有する。
【図面の簡単な説明】
【００３３】
【図１】本発明の発光アレイで文字を表示するキーボード装置の実施例の立体図である。
【図２】図１のキーボード中のそのうち一つのキーユニットをキーボード装置より分離した時の立体分解図である。
【図３】図１の３−３断面図である。
【図４】本発明のキーユニットの別の実施例の立体分解図である。
【図５】図４中の５−５断面図である。
【図６】本発明の発光アレイで文字を表示するキーユニットがキーボード制御回路に接続された電気回路図である。
【図７】本発明の発光アレイで文字を表示するキーボードユニットが配置されたキーボード装置が英文字をキーユニットにおいて表示する時の平面図である。
【図８】本発明の発光アレイで文字を表示するキーボードユニットが配置されたキーボード装置がピンイン符号をキーユニットにおいて表示する時の平面図である。
【符号の説明】
【００３４】
１００  キーユニット
１  キーボードケース
１１  回路基板
１２  信号線
２  キートップ
２１  透光エリア
２２  嵌置孔
２３  保護層
３  発光装置基板
３１  発光装置
３２  凸部
４  回復バネ
５  キースイッチ
６  キーボード制御回路
６１  Ｘ軸方向デコーダ
６２  Ｙ軸方向デコーダ
【図１】
2006164929.tif 000003
【図２】
2006164929.tif 000004
【図３】
2006164929.tif 000005
【図４】
2006164929.tif 000006
【図５】
2006164929.tif 000007
【図６】
2006164929.tif 000008
【図７】
2006164929.tif 000009
【図８】
2006164929.tif 000010